(57)【要約】【課題】電池温度のばらつきが低減される電池パックを提供する。【解決手段】電池パックは、組電池２０と、組電池２０と隣り合って設けられた周辺機器５０と、組電池２０に対向して配索された電熱線６１とを備える。組電池２０は、周辺機器５０に隣接する機器側縁部７１と、機器側縁部７１に対して周辺機器５０の反対側に位置し、組電池２０の外縁に配設される外縁部７２と、機器側縁部７１と外縁部７２との間に位置する中央部７３とを含む。電熱線６１は、機器側縁部７１に対向する位置で中央部７３に対向する位置よりも密に配索されている。電熱線６１は、外縁部７２に対向する位置で機器側縁部７１に対向する位置よりもさらに密に配索されている。【選択図】図３
2007329047.tif 000002
【特許請求の範囲】
【請求項１】
電池部と、
前記電池部と隣り合って設けられた機器部と、
前記電池部に対向して配索された電熱線とを備え、
前記電池部は、前記機器部に隣接する第１部位と、前記第１部位に対して前記機器部の反対側に位置し、前記電池部の外縁に配設される第２部位と、前記第１部位と前記第２部位との間に位置する第３部位とを含み、
前記電熱線は、前記第１部位に対向する位置で前記第３部位に対向する位置よりも密に配索され、前記第２部位に対向する位置で前記第１部位に対向する位置よりもさらに密に配索されている、電池パック。
【請求項２】
前記電池部および前記機器部を収容するケース体をさらに備え、
前記電熱線は、前記ケース体に接着剤により固定されている、請求項１に記載の電池パック。
【請求項３】
前記ケース体は、前記電池部の鉛直下方向に配設される底部を含み、
前記電熱線は、前記底部に固定されている、請求項２に記載の電池パック。
【請求項４】
前記電池部は、積層された複数の電池モジュールと、前記複数の電池モジュールに隣接する位置で前記電池部と前記機器部とが隣り合う方向に延び、前記複数の電池モジュールを一体に保持する拘束部材とを含み、
前記電熱線は、前記拘束部材に固定されている、請求項１から３のいずれか１項に記載の電池パック。
【請求項５】
前記電池部および前記機器部を収容するケース体をさらに備え、
前記電熱線は、前記ケース体の外表面に固定されている、請求項１から４のいずれか１項に記載の電池パック。
【請求項６】
前記電池部は、積層された複数の電池モジュールを含み、
積層された前記複数の電池モジュールは、前記電池部と前記機器部とが隣り合う方向の辺の長さが、他の２辺の長さよりも大きくなる略直方体形状を有する、請求項１から５のいずれか１項に記載の電池パック。
【請求項７】
車両に搭載された、請求項１から６のいずれか１項に記載の電池パック。
【請求項８】
前記第２部位と前記車両のサイドボディの一方とが隣接し、前記機器部と前記車両のサイドボディの他方とが隣接するように搭載された、請求項７に記載の電池パック。
【発明の詳細な説明】
【技術分野】
【０００１】
この発明は、一般的には、電池パックに関し、より特定的には、車両に搭載され、電池部と機器部とを備える電池パックに関する。
【背景技術】
【０００２】
従来の電池パックに関して、たとえば、特開平６−２８３２１５号公報には、温度制御を容易にしつつ、構造に簡易にして製造コストを低減するとともに、断熱容器内の温度分布をより均一に保持することを目的とした高温２次電池の加熱装置が開示されている（特許文献１）。特許文献１では、箱型の断面容器内に、所定の配列で接続された複数の単電池からなる電池ブロックが収容されている。この電池は、ナトリウム−硫黄電池である。断熱容器の内底面には、ヒータが配置されている。ヒータは、断面容器の内底面と相似形をなす絶縁板と、絶縁板の外周面にその両端部において密となるように巻回された電熱線とから構成されている。
【０００３】
また、特開２００２−２１９９４９号公報には、部品点数を少なくして、製造コストを低くすることを目的とした車両用電源装置が開示されている（特許文献２）。特許文献２では、電池パックの長手方向の一方端に、部品収容ケースが配設されている。部品収容ケースには、電池パック内の電池モジュールを制御するための、バッテリコンピュータ、リレー、電流センサ等の電気制御回路部品が収容されている。
【特許文献１】特開平６−２８３２１５号公報
【特許文献２】特開２００２−２１９９４９号公報
【発明の開示】
【発明が解決しようとする課題】
【０００４】
上述の特許文献１では、電熱線の巻き数を温度が低下しやすい断熱容器の両端部において密に設定することにより、断熱容器内の温度分布をほぼ均一に保持する。しかしながら、この構成を、特許文献２に開示されるような電池モジュールと電池制御回路部品とが併設された電池パックに適用しても、電池温度にばらつきが生じることを抑制できない。
【０００５】
そこでこの発明の目的は、上記の課題を解決することであり、電池温度のばらつきが低減される電池パックを提供することである。
【課題を解決するための手段】
【０００６】
この発明に従った電池パックは、電池部と、電池部と隣り合って設けられた機器部と、電池部に対向して配索された電熱線とを備える。電池部は、機器部に隣接する第１部位と、第１部位に対して機器部の反対側に位置し、電池部の外縁に配設される第２部位と、第１部位と第２部位との間に位置する第３部位とを含む。電熱線は、第１部位に対向する位置で第３部位に対向する位置よりも密に配索されている。電熱線は、第２部位に対向する位置で第１部位に対向する位置よりもさらに密に配索されている。
【０００７】
このように構成された電池パックによれば、電池部の外縁に配設された第２部位よりも、機器部と第３部位とに挟まれた第１部位の方が放熱性が低く（熱がこもり易く）、さらに、第１部位よりも、第２部位と第１部位とに挟まれた第３部位の方が放熱性が低くなる。このため、電熱線による加熱が行なわれていない状態で、電池部の温度が、第３部位で最も高く、第１部位で次に高く、第２部位で最も低くなる傾向が生じる。これに対して、電熱線を、第１部位に対向する位置で第３部位に対向する位置よりも密に配索し、第２部位に対向する位置で第１部位に対向する位置よりもさらに密に配索することで、電熱線の発熱量が、単位面積当たりにおいて、第２部位に対向する位置で最も大きくなり、第１部位に対向する位置で次に大きくなり、第３部位に対向する位置で最も小さくなる。これにより、第１部位から第３部位の間で生じる電池温度のばらつきを低減できる。
【０００８】
また好ましくは、電池パックは、電池部および機器部を収容するケース体をさらに備える。電熱線は、ケース体に接着剤により固定されている。このように構成された電池パックによれば、接着剤を使用することによって、配索される電熱線の疎密の調整や変更に容易に対応することができる。
【０００９】
また好ましくは、ケース体は、電池部の鉛直下方向に配設される底部を含む。電熱線は、底部に固定されている。このように構成された電池パックによれば、電熱線で発生した熱は上昇し、電池部に達する。このため、迅速に、電池部を温度上昇させるとともに電池温度のばらつきを低減させることができる。
【００１０】
また好ましくは、電池部は、積層された複数の電池モジュールと、拘束部材とを含む。拘束部材は、複数の電池モジュールに隣接する位置で電池部と機器部とが隣り合う方向に延び、複数の電池モジュールを一体に保持する。電熱線は、拘束部材に固定されている。このように構成された電池パックによれば、電熱線を、複数の電池モジュールにより近接した位置に配設することが可能となる。このため、迅速に、電池部を温度上昇させるとともに電池温度のばらつきを低減させることができる。
【００１１】
また好ましくは、電池パックは、電池部および機器部を収容するケース体をさらに備える。電熱線は、ケース体の外表面に固定されている。このように構成された電池パックによれば、電熱線を配索するための場所を容易に確保することができる。
【００１２】
また好ましくは、電池部は、積層された複数の電池モジュールを含む。積層された複数の電池モジュールは、電池部と機器部とが隣り合う方向の辺の長さが、他の２辺の長さよりも大きくなる略直方体形状を有する。このように構成された電池パックによれば、積層された複数の電池モジュールは、電池部と機器部とが隣り合う方向、つまり第１部位から第３部位が並ぶ方向に最も大きい長さを有するため、第１部位から第３部位の間に生じる電池温度のばらつきが大きくなる。このため、このような構成を備える電池パックに、本発明がより有効に適用される。
【００１３】
また好ましくは、電池パックは、車両に搭載されている。このように構成された電池パックによれば、寒冷地で車両が長時間、放置されるような状況にあっても、電池温度のばらつきを解消しつつ電池部を温度上昇させることができる。
【００１４】
また好ましくは、電池パックは、第２部位と車両のサイドボディの一方とが隣接し、機器部と車両のサイドボディの他方とが隣接するように搭載されている。このように構成された電池パックによれば、電池部の熱がサイドボディを介して車外に逃げ易いため、第１部位から第３部位の間に生じる電池温度のばらつきが大きくなる。このため、このような構成を備える電池パックに、本発明がより有効に適用される。
【発明の効果】
【００１５】
以上説明したように、この発明に従えば、電池温度のばらつきが低減される電池パックを提供することができる。
【発明を実施するための最良の形態】
【００１６】
この発明の実施の形態について、図面を参照して説明する。なお、以下で参照する図面では、同一またはそれに相当する部材には、同じ番号が付されている。
【００１７】
（実施の形態１）
図１は、この発明の実施の形態１における電池パックを搭載するハイブリッド自動車を示す平面図である。図中には、ハイブリッド自動車の車両後方部分が示されている。図中に示すハイブリッド自動車は、ガソリンエンジンやディーゼルエンジン等の内燃機関と、充放電可能な組電池２０から電力供給されるモータとを動力源とする。
【００１８】
図１を参照して、ハイブリッド自動車の車両室内には、リヤシート１２０が設置されている。リヤシート１２０の後方には、荷物を積むための空間であるラゲージルーム１１０が設けられている。ラゲージルーム１１０の床面上には、電池パック１０が搭載されている。電池パック１０は、組電池２０と、組電池２０に電気的に接続される周辺機器５０と、組電池２０および周辺機器５０を収容するケース体４０とを備える。
【００１９】
ケース体４０は、電池パック１０の外観をなす。ケース体４０は、車両を平面的に見た場合に長辺と短辺とを有する形状に形成されている。ケース体４０は、その長辺が延びる方向と車両幅方向とが一致し、短辺が延びる方向と車両進行方向とが一致するように設置されている。つまり、電池パック１０は、車両を平面的に見た場合に、車両幅方向に相対的に長く、車両進行方向に相対的に短くなるように搭載されている。電池パック１０は、車両幅方向において車両のほぼ中央付近に配置されている。
【００２０】
組電池２０と周辺機器５０とは、互いに隣り合ってケース体４０に収容されている。組電池２０と周辺機器５０とは、水平方向に隣り合っている。組電池２０と周辺機器５０とは、車両幅方向に隣り合っている。
【００２１】
なお、電池パック１０は、ラゲージルーム１１０に限られず、たとえば、フロントシートやリヤシートの下、フロントシートの運転席と助手席との間に設置されたセンターコンソールの下等に配置されても良い。また、組電池２０と周辺機器５０とは、車両進行方向に隣り合って設けられても良いし、鉛直方向に隣り合って設けられても良い。
【００２２】
図２は、図１中の電池パックの外観を表わす斜視図である。図３は、図２中のＩＩＩ−ＩＩＩ線上に沿った電池パックの断面図である。図２および図３を参照して、ケース体４０は、たとえば、亜鉛メッキ処理された鋼板等の金属から形成されている。ケース体４０は、アッパケース４５およびロアケース４２を含む。ロアケース４２は、組電池２０および周辺機器５０を鉛直下方向から受けている。ロアケース４２は、組電池２０の鉛直下方向に配設される底部４２ｈを含む。底部４２ｈには、組電池２０を収容する内部空間を規定する底面４２ｃが形成されている。
【００２３】
周辺機器５０は、バッテリコンピュータ、組電池２０の高電圧回路を制御するリレー、組電池２０の総電圧と充放電電流とを検知する各種センサ、電池パック１０の点検・整備時に高電圧回路を遮断するサービスプラグ等の複数の機器を含む。周辺機器５０は、組電池２０を利用するための複数の機器を含む。
【００２４】
図４は、図３中の組電池を示す斜視図である。図３および図４を参照して、組電池２０は、一方向に積層された複数の電池モジュール２１を含む。複数の電池モジュール２１は、組電池２０と周辺機器５０とが隣り合う方向に積層されている。複数の電池モジュール２１は、車両幅方向に積層されている。複数の電池モジュール２１は、図示しないバスバーにより互いに電気的に直列に接続されている。
【００２５】
組電池２０は、充放電可能な２次電池であれば特に限定されず、たとえばニッケル水素電池であっても良いし、リチウムイオン電池であっても良い。
【００２６】
組電池２０は、一対の板部材としてのエンドプレート２６および２７と、拘束部材としての拘束ロッド２３および２４とをさらに含む。エンドプレート２６および２７は、積層された複数の電池モジュール２１の両側に配設されている。エンドプレート２６および２７は、樹脂から形成されても良いし、金属から形成されても良い。拘束ロッド２３および拘束ロッド２４は、それぞれ、積層された複数の電池モジュール２１の上下に配置されている。エンドプレート２６とエンドプレート２７とは、複数の電池モジュール２１を挟み込んだ状態で拘束ロッド２３および２４によって互いに連結されている。このような構成により、複数の電池モジュール２１が一体に保持されている。
【００２７】
なお、本実施の形態では、複数の電池モジュール２１を一体に保持する拘束部材として、拘束ロッド２３および２４を用いたが、これに限定されず、電池モジュール２１の積層方向に締め付け力を発生させるゴムや紐、テープ等を用いても良い。
【００２８】
互いに隣り合う複数の電池モジュール２１間には、それぞれ、冷却風通路２９が形成されている。ケース体４０内には、吸気チャンバ３１および排気チャンバ３２が形成されている。吸気チャンバ３１および排気チャンバ３２は、それぞれ、複数の電池モジュール２１の上下に形成されている。本実施の形態では、複数の電池モジュール２１の下方に排気チャンバ３２が形成される構造上、組電池２０が、底部４２ｈから鉛直上方向に離間した位置に設けられている。ケース体４０に導入された冷却風は、吸気チャンバ３１から各冷却風通路２９に順次、流れ込み、冷却風通路２９を流れる間、複数の電池モジュール２１と熱交換を行なう。複数の電池モジュール２１との熱交換によって温度上昇した冷却風は、排気チャンバ３２を通ってケース体４０から排出される。
【００２９】
積層された複数の電池モジュール２１は、略直方体形状を有する。積層された複数の複数の電池モジュール２１は、電池モジュール２１の積層方向、つまり組電池２０と周辺機器５０とが隣り合う方向に長さＬ１を有し、複数の電池モジュール２１の積層方向に直交する２方向に長さＬ２および長さＬ３を有する。長さＬ１は、長さＬ２および長さＬ３よりも大きい。すなわち、積層された複数の電池モジュール２１は、組電池２０と周辺機器５０とが隣り合う方向に最も長い辺を有する。
【００３０】
組電池２０は、機器側縁部７１、中央部７３および外縁部７２を含む。機器側縁部７１、中央部７３および外縁部７２は、組電池２０と周辺機器５０とが隣り合う方向に並ぶ。機器側縁部７１、中央部７３および外縁部７２は、車両幅方向に並ぶ。機器側縁部７１は、周辺機器５０に隣接する。外縁部７２は、機器側縁部７１に対して周辺機器５０の反対側に位置している。外縁部７２は、組電池２０と周辺機器５０とが隣り合う方向において、組電池２０の外縁に位置している。中央部７３は、機器側縁部７１と外縁部７２との間に位置している。機器側縁部７１は、周辺機器５０と中央部７３との間に位置している。
【００３１】
外縁部７２は、図１中のハイブリッド自動車の右サイドボディ１３０ｍと隣接している。周辺機器５０は、図１中のハイブリッド自動車の左サイドボディ１３０ｎと隣接している。
【００３２】
図５は、図３中のＶ−Ｖ線上に沿った電池パックの平面図である。図３および図５を参照して、電池パック１０は、電熱線６１をさらに備える。電熱線６１は、組電池２０に対向する位置に配索されている。電熱線６１は、組電池２０および周辺機器５０のうちの組電池２０にのみ対向して配索されている。電熱線６１は、ケース体４０の内部に配索されている。電熱線６１は、底面４２ｃ上に配索されている。電熱線６１は、組電池２０から鉛直下方向に距離を隔てた位置に配索されている。
【００３３】
電熱線６１は、組電池２０と周辺機器５０とが隣り合う方向の直交方向に沿って往復しながら、機器側縁部７１、中央部７３および外縁部７２に対向する位置に配索されている。電熱線６１は、機器側縁部７１に対向する位置で中央部７３に対向する位置よりも密に配索されている。電熱線６１は、外縁部７２に対向する位置で機器側縁部７１に対向する位置よりもさらに密に配索されている。電熱線６１が配索される平面、つまり底面４２ｃの単位面積当たりに配索される電熱線６１の長さは、中央部７３で最も短く、機器側縁部７１で次に短く、外縁部７２で最も長い。組電池２０と周辺機器５０とが隣り合う方向における電熱線６１のピッチは、中央部７３で最も大きく、機器側縁部７１で次に大きく、外縁部７２で最も小さい。
【００３４】
図６は、図３中の２点鎖線ＶＩで囲まれた位置を拡大して示す断面図である。図６を参照して、電熱線６１は、通電されることにより発熱する発熱部６２と、発熱部６２を覆う被覆部６３とを含む。発熱部６２は、たとえば、ニクロム線や鉄クロム線から形成されている。被覆部６３は、シリコンゴム等の耐熱性を備える絶縁性材料から形成されている。好ましくは、発熱部６２の発熱温度は、１００℃よりも小さい。また好ましくは、発熱部６２の発熱温度は、７５℃よりも小さい。
【００３５】
電熱線６１は、接着剤６６によって底面４２ｃ上に固定されている。接着剤６６を用いることにより、底面４２ｃ上において電熱線６１を配索するパターンを容易に変更したり調整したりすることができる。また、ロアケース４２の形状を変更することなく、電熱線６１が必要となる寒冷地向けの車両にのみ電熱線６１を設けることが可能となり、生産上の対応が容易となる。
【００３６】
図７は、図５中の電熱線の配索されるパターンの変形例を示す平面図である。図７を参照して、本変形例では、電熱線６１が、組電池２０と周辺機器５０とが隣り合う方向に往復しながら、機器側縁部７１、中央部７３および外縁部７２に対向する位置に配索されている。組電池２０と周辺機器５０とが隣り合う方向の直交方向における電熱線６１のピッチは、中央部７３で最も大きく、機器側縁部７１で次に大きく、外縁部７２で最も小さい。
【００３７】
なお、電熱線６１は、ロアケース４２の底面４２ｃに限定されず、組電池２０から鉛直上方向に離間したアッパケース４５の内壁や、組電池２０から水平方向に離間したアッパケース４５もしくはロアケース４２の側壁などに固定されても良い。
【００３８】
たとえば、寒冷地において、ハイブリッド自動車がエンジンを停止した状態で長時間、放置された場合を想定する。この場合、機器側縁部７１および外縁部７２に挟持された中央部７３よりも、組電池２０の端部に位置する機器側縁部７１および外縁部７２の方が冷却され易い。また、機器側縁部７１が中央部７３および周辺機器５０に挟持される一方で、外縁部７２は併設された組電池２０および周辺機器５０の一方の端に位置するため、機器側縁部７１よりも外縁部７２の方が冷却され易い。結果、複数の電池モジュール２１に、中央部７３で最も高く、機器側縁部７１で次に高く、外縁部７２で最も低くなる温度分布が生じる。特に本実施の形態では、左右のサイドボディ１３０ｎおよび１３０ｍに隣接する周辺機器５０および外縁部７２が外気に近接するため、組電池２０が極低温に冷却される。また、積層された複数の電池モジュール２１は、組電池２０と周辺機器５０とが隣り合う方向、つまり、機器側縁部７１、中央部７３および外縁部７２が並ぶ方向に、最も長い辺を有する。このため、機器側縁部７１、中央部７３および外縁部７２間に生じる電池温度のばらつきも大きくなる。
【００３９】
組電池２０が低温であると十分な電池出力が得られないため、ハイブリッド自動車の始動時に、電熱線６１への通電が開始される。このとき、本実施の形態では、配索された電熱線６１のパターンの疎密に対応して、組電池２０が、外縁部７２で最も大きく温度上昇し、機器側縁部７１で次に大きく温度上昇し、中央部７３で最も小さく温度上昇する。このため、機器側縁部７１、中央部７３および外縁部７２間に生じていた電池温度のばらつきが解消される。
【００４０】
この発明の実施の形態１における電池パック１０は、電池部としての組電池２０と、組電池２０と隣り合って設けられた機器部としての周辺機器５０と、組電池２０に対向して配索された電熱線６１とを備える。組電池２０は、周辺機器５０に隣接する第１部位としての機器側縁部７１と、機器側縁部７１に対して周辺機器５０の反対側に位置し、組電池２０の外縁に配設される第２部位としての外縁部７２と、機器側縁部７１と外縁部７２との間に位置する第３部位としての中央部７３とを含む。電熱線６１は、機器側縁部７１に対向する位置で中央部７３に対向する位置よりも密に配索されている。電熱線６１は、外縁部７２に対向する位置で機器側縁部７１に対向する位置よりもさらに密に配索されている。
【００４１】
このように構成された、この発明の実施の形態１における電池パック１０によれば、ハイブリッド自動車の冷寒始動時、組電池２０を温度上昇させつつ、電池温度のばらつきを低減させることができる。これにより、車両始動直後から組電池２０の電池出力を十分に向上させることができる。
【００４２】
なお、本発明における電池パックを、燃料電池と２次電池とを動力源とする燃料電池ハイブリッド自動車（ＦＣＨＶ：Fuel Cell Hybrid Vehicle）または電気自動車（ＥＶ：Electric Vehicle）に適用することもできる。本実施の形態におけるハイブリッド自動車では、燃費最適動作点で内燃機関を駆動するのに対して、燃料電池ハイブリッド自動車では、発電効率最適動作点で燃料電池を駆動する。また、２次電池の使用に関しては、両方のハイブリッド自動車で基本的に変わらない。
【００４３】
（実施の形態２）
図８は、この発明の実施の形態２における電池パックを示す断面図である。図８は、実施の形態１における図３に対応する図である。図９は、図８中の電池パックに設けられた拘束ロッドを示す斜視図である。本実施の形態における電池パックは、実施の形態１における電池パック１０と比較して、基本的には同様の構成を備える。以下、重複する構成については説明を繰り返さない。
【００４４】
図８および図９を参照して、拘束ロッド２３および拘束ロッド２４は、複数の電池モジュール２１に隣接する位置に複数ずつ設けられている。拘束ロッド２３および２４は、複数の電池モジュール２１の積層方向に延びる。拘束ロッド２３および２４は、組電池２０と周辺機器５０とが隣り合う方向に延びる。拘束ロッド２３および２４は、車両幅方向に延びる。拘束ロッド２３および２４は、その延びる方向の直交平面で切断された場合に、略真円の断面形状を有する。拘束ロッド２３および２４は、これに限定されず、たとえば真円以外の円形や、矩形等の多角形の断面形状を有しても良い。拘束ロッド２３および拘束ロッド２４は、金属から形成されても良いし、樹脂から形成されても良い。拘束ロッド２４は、複数の電池モジュール２１と底部４２ｈとの間に配設されている。
【００４５】
本実施の形態では、電熱線６１が、拘束ロッド２４の外周面に螺旋状に巻回されている。電熱線６１が巻回されるピッチは、中央部７３で最も大きく、機器側縁部７１で次に大きく、外縁部７２で最も小さい。拘束ロッド２４は、略真円の断面形状を有するため、ピッチを変化させながら電熱線６１を拘束ロッド２４に巻回する作業を、容易に行なうことができる。
【００４６】
このように構成された、この発明の実施の形態２における電池パックによれば、実施の形態１に記載の効果を同様に得ることができる。加えて、本実施の形態では、積層された複数の電池モジュール２１により近接した位置に、電熱線６１を設けることができる。これにより、ハイブリッド自動車の始動直後、より迅速に、組電池２０を温度上昇させつつ、電池温度のばらつきを低減させることができる。
【００４７】
なお、本実施の形態では、電熱線６１が拘束ロッド２４に巻回される場合について説明したが、電熱線６１は、拘束ロッド２３に巻回されても良いし、拘束ロッド２３および２４の双方に巻回されても良い。
【００４８】
（実施の形態３）
図１０は、この発明の実施の形態３における電池パックを示す断面図である。図１０は、実施の形態１における図３に対応する図である。図１１は、図１０中のＸＩ−ＸＩ線上に沿った電池パックの断面図である。本実施の形態における電池パックは、実施の形態１における電池パック１０と比較して、基本的には同様の構成を備える。以下、重複する構成については説明を繰り返さない。
【００４９】
図１０および図１１を参照して、本実施の形態では、積層された複数の電池モジュール２１の両側に吸気チャンバ３１および排気チャンバ３２が形成されている。実施の形態１では、冷却風通路２９において、冷却風が鉛直方向に流れるのに対して、本実施の形態では水平方向に流れる。組電池２０は、ロアケース４２の底面４２ｃの直上に配置されており、底面４２ｃ上に電熱線６１を配索するための空間が十分に確保されていない。底部４２ｈには、外表面４２ｂが形成されている。外表面４２ｂは、ケース体４０の外側で延在している。
【００５０】
外表面４２ｂには、温熱シート６８が固定されている。温熱シート６８は、電熱線６１を含む。電熱線６１は、機器側縁部７１に対向する位置で中央部７３に対向する位置よりも密になるように設けられている。電熱線６１は、外縁部７２に対向する位置で機器側縁部７１に対向する位置よりもさらに密になるように設けられている。
【００５１】
このように構成された、この発明の実施の形態３における電池パックによれば、実施の形態１に記載の効果と同様の効果を得ることができる。加えて、本実施の形態では、電熱線６１がケース体４０の外側に設けられるため、ケース体４０に収容された組電池２０の形態に拘らず、電熱線６１を配索する場所を容易に確保することができる。また、電池モジュール２１から電解液が漏洩するような事態が生じても、電熱線６１が電解液に浸ることを防止できる。
【００５２】
なお、以上に説明した実施の形態１から３における電池パックの構造を適宜、組み合わせて別の電池パックを構成しても良い。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５４】
【図１】この発明の実施の形態１における電池パックを搭載するハイブリッド自動車を示す平面図である。
【図２】図１中の電池パックの外観を表わす斜視図である。
【図３】図２中のＩＩＩ−ＩＩＩ線上に沿った電池パックの断面図である。
【図４】図３中の組電池を示す斜視図である。
【図５】図３中のＶ−Ｖ線上に沿った電池パックの平面図である。
【図６】図３中の２点鎖線ＶＩで囲まれた位置を拡大して示す断面図である。
【図７】図５中の電熱線の配索されるパターンの変形例を示す平面図である。
【図８】この発明の実施の形態２における電池パックを示す断面図である。
【図９】図８中の電池パックに設けられた拘束ロッドを示す斜視図である。
【図１０】この発明の実施の形態３における電池パックを示す断面図である。
【図１１】図１０中のＸＩ−ＸＩ線上に沿った電池パックの断面図である。
【符号の説明】
【００５５】
１０  電池パック、２０  組電池、２１  電池モジュール、２３，２４  拘束ロッド、４０  ケース体、４２ｂ  外表面、４２ｈ  底部、５０  周辺機器、６１  電熱線、６６  接着剤、７１  機器側縁部、７２  外縁部、７３  中央部、１３０ｍ，１３０ｎ  サイドボディ。
【図１】
2007329047.tif 000003
【図２】
2007329047.tif 000004
【図３】
2007329047.tif 000005
【図４】
2007329047.tif 000006
【図５】
2007329047.tif 000007
【図６】
2007329047.tif 000008
【図７】
2007329047.tif 000009
【図８】
2007329047.tif 000010
【図９】
2007329047.tif 000011
【図１０】
2007329047.tif 000012
【図１１】
2007329047.tif 000013